(57)【要約】【課題】  非水溶性物質を含む水を経済的に処理することを可能にする方法を提供する。【解決手段】  表面に官能基を有する好適には無機酸化物からなる多孔質材料を用いて随伴水に代表される非水溶性物質を含む水を処理する方法であって、前記官能基とイオン交換可能なイオンを含む水溶液を前記表面に接触させて前記表面に前記イオンを付着させる第１工程と、前記イオンが付着した表面から前記非水溶性物質を含む水を前記多孔質材料に透過させて前記非水溶性物質を含む水から前記非水溶性物質を除去する第２工程とからなる。前記第１工程の後、前記第２工程の前に、前記多孔質材料を３００〜５００℃の温度条件で１〜５時間焼成する工程を含んでもよい。【選択図】    図１
2014121676.tif 000002
【特許請求の範囲】
【請求項１】
表面に官能基を有する多孔質材料を用いて非水溶性物質を含む水を処理する方法であって、
前記官能基とイオン交換可能なイオンを含む水溶液を前記表面に接触させて前記表面に前記イオンを付着させる第１工程と、前記イオンが付着した表面から前記非水溶性物質を含む水を前記多孔質材料に透過させて前記非水溶性物質を含む水から前記非水溶性物質を除去する第２工程とからなることを特徴とする非水溶性物質を含む水の処理方法。
【請求項２】
前記多孔質材料が無機酸化物からなることを特徴とする、請求項１に記載の非水溶性物質を含む水の処理方法。
【請求項３】
前記第１工程の後、前記第２工程の前に、前記多孔質材料を３００〜５００℃の温度条件で１〜５時間焼成する工程を含むことを特徴とする、請求項２に記載の非水溶性物質を含む水の処理方法。
【請求項４】
前記イオン交換可能なイオンが、アルカリ金属イオン、アルカリ土類金属イオン、及びＭｇ２＋からなる群より選ばれた１種以上の陽イオン、又はハロゲンイオン、ＳＯ４２−、ＰＯ４３−、ＮＯ３−、ＣＨ３ＣＯＯ−、及び[Ｃ６Ｈ５Ｏ７]３−からなる群より選ばれた１種以上の陰イオンからなることを特徴とする、請求項１〜３のいずれかに記載の非水溶性物質を含む水の処理方法。
【請求項５】
前記非水溶性物質を含む水が随伴水であることを特徴とする、請求項１〜４のいずれかに記載の非水溶性物質を含む水の処理方法。
【請求項６】
前記第２工程の後に、薬液により前記多孔質材料を洗浄する工程若しくは前記イオンを含む水溶液を前記多孔質材料の表面に接触させて前記表面に前記イオンを付着させる工程を含むか、又は薬液により前記多孔質材料を洗浄し、その後、前記イオンを含む水溶液を前記多孔質材料の表面に接触させて前記表面に前記イオンを付着させる工程を含む、請求項1〜５のいずれかに記載の非水溶性物質を含む水の処理方法。
【請求項７】
表面に官能基を有する多孔質材料を用意し、前記官能基とイオン交換可能なイオンを含む水溶液を前記表面に接触させて前記表面に前記イオンを付着させることを特徴とする多孔質体の製造方法。
【請求項８】
前記多孔質材料が無機酸化物からなることを特徴とする、請求項７に記載の多孔質体の製造方法。
【請求項９】
前記イオンが付着した多孔質材料を３００〜５００℃の温度条件で１〜５時間焼成することを特徴とする、請求項８に記載の多孔質体の製造方法。
【請求項１０】
前記イオン交換可能なイオンが、アルカリ金属イオン、アルカリ土類金属イオン、及びＭｇ２＋からなる群より選ばれた１種以上の陽イオン、又はハロゲンイオン、ＳＯ４２−、ＰＯ４３−、ＮＯ３−、ＣＨ３ＣＯＯ−、及び[Ｃ６Ｈ５Ｏ７]３−からなる群より選ばれた１種以上の陰イオンからなることを特徴とする、請求項７〜９のいずれかに記載の多孔質体の製造方法。
【発明の詳細な説明】
【技術分野】
【０００１】
本発明は、非水溶性物質を含む水の処理方法、及び非水溶性物質を含む水の処理に使用する多孔質体の製造方法に関する。
【背景技術】
【０００２】
非水溶性物質を含む水から非水溶性物質を除去する技術は極めて適用範囲の広い技術であり、幅広い分野で活用されている。例えば、原油や天然ガスの採掘現場では、井戸元から取り出される随伴水に油分に代表される非水溶性物質が含まれており、これをそのまま河川や海洋に投棄することができないため、各種の分離操作を適用して油分を含む随伴水から油分を除去して実質的に油分を含まない水を得る処理が行われている。
【０００３】
従来、油分を含む随伴水の処理方法には、例えば相分離法などによる物理的分離手段で固形分やフリーオイルを分離した後、特許文献１に示すように凝集剤を添加してエマルジョンオイルを凝集沈殿させて油分を含まない水を得る方法が採用されてきた。これら相分離法や凝集沈殿法は古くから使用されている確立した技術であり、比較的簡単な操作で安定して処理できるという利点を有している。
【先行技術文献】
【特許文献】
【０００４】
【特許文献１】国際公開第２００５／０９２４６９号パンフレット
【発明の概要】
【発明が解決しようとする課題】
【０００５】
しかし、凝集沈殿法は、処理量が膨大になると凝集剤などの薬剤の使用量やそれに伴う廃棄物の発生量が多くなり、これにより処理費用が嵩むことが問題になっていた。特に、随伴水は産油国や産ガス国などのいわゆるインフラ設備の不十分な地域で取り出されることが多く、更には採掘の難しい井戸の出現などによって、船舶や海洋リグ等のスペースに制限のある場所で処理することが求められることもある。そのため、沈殿槽のみならず薬剤等の保管のために広いスペースを必要とする凝集沈殿法では採算がとれないことがあった。
【０００６】
そこで、多孔質膜を用いて油分を含む随伴水を処理することが検討されている。多孔質膜による処理では、基本的には多孔質膜モジュールとこれに原水を供給するための簡易なタンクやポンプ程度の設備を備えるだけでよく、運転に際して加熱や冷却も特に必要ないので、省スペースで低コストに処理できる技術として期待されている。
【０００７】
しかし、多孔質膜による処理では、除去対象物による目詰まり（ファウリング）の問題を避けることができず、特に非水溶性物質として油分を随伴水から分離する場合は、多孔質膜の表面や細孔内に粘着性の高い油分が付着することが懸念される。多孔質膜の表面や細孔内に油分が付着すると、随伴水を多孔質膜に透過させるために必要な圧力が大きくなり、ポンプの消費電力が増大するため、不経済となる。また、油は液体であり、多孔質膜に限度圧以上の圧力を加えると処理水中に流出し、処理水を汚染する。これらを防止するためには、非水溶性物質が膜表面に付着しないように頻繁に多孔質膜の逆洗を行ったり、付着した非水溶性物質を除去するためにポンプの運転を止めて多孔質膜の薬液洗浄を行ったりする操作が必要となり、これらが処理量を大きく低下させるおそれがあった。
【０００８】
本発明は上記した問題に鑑みてなされたものであり、非水溶性物質による多孔質膜の目詰まりを防ぐことにより、非水溶性物質を含む水を多孔質材料に透過させるために必要な圧力を小さくしてポンプの消費電力を低減するとともに、多孔質材料の逆洗や薬液洗浄の頻度を最小限にとどめることができるようにすることによって、非水溶性物質を含む水を経済的に処理することを可能にする方法を提供することを目的としている。
【課題を解決するための手段】
【０００９】
上記目的を達成するため、本発明が提供する非水溶性物質を含む水を処理する方法は、表面に官能基を有する多孔質材料を用いて非水溶性物質を含む水を処理する方法であって、前記官能基とイオン交換可能なイオンを含む水溶液を前記表面に接触させて前記表面に前記イオンを付着させる第１工程と、前記イオンが付着した表面から前記非水溶性物質を含む水を前記多孔質材料に透過させて前記非水溶性物質を含む水から前記非水溶性物質を除去する第２工程とからなることを特徴としている。
【００１０】
また、本発明が提供する多孔質体の製造方法は、表面に官能基を有する多孔質材料を用意し、前記官能基とイオン交換可能なイオンを含む水溶液を前記表面に接触させて前記表面に前記イオンを付着させることを特徴としている。
【発明の効果】
【００１１】
本発明によれば、非水溶性物質を含む水を多孔質材料にその表面から透過させることに先立ち、前記表面の官能基とイオン交換可能なイオンを含む水溶液を前記表面に接触させるため、前記官能基が前記イオンと交換され、前記水溶液の中の水分子が前記イオンの電荷により該イオンに引き付けられ、前記表面に水膜が形成される。このため、前記非水溶性物質を含む水を前記表面から前記多孔質材料に透過させている間、前記非水溶性物質が前記水膜により弾かれて前記表面に付着しないようにすることができ、前記非水溶性物質による前記多孔質材料の目詰まりを生じさせることなく前記非水溶性物質を含む水から前記非水溶性物質を除去することができると考えられる。
【００１２】
これにより、前記非水溶性物質を含む水を前記多孔質材料に透過させるために必要な圧力を小さくすることができ、前記圧力を生じさせるポンプの消費電力を削減することができる。また、前記多孔質材料の逆洗や薬液洗浄の頻度を最小限にとどめることができる。よって、前記非水溶性物質を含む水を経済的に処理することができる。
【図面の簡単な説明】
【００１３】
【図１】本発明の非水溶性物質を含む水の処理方法を好適に実施可能な処理プロセスの一具体例を示す模式的フロー図である。
【図２】アルミナのゼータ電位がｐＨに依存する様子を示すグラフである。
【図３】比較例の膜処理試験における、ろ過時間の経過に伴う水温補正膜差圧を示すグラフである。
【図４】実施例の膜処理試験において使用したデッドエンドタイプのろ過試験装置の模式的フロー図である。
【図５】実施例１の膜処理試験における、ろ過時間の経過に伴う水温補正膜差圧を示すグラフである。
【図６】実施例２の膜処理試験における、ろ過時間の経過に伴う水温補正膜差圧を示すグラフである。
【発明を実施するための形態】
【００１４】
以下、本発明に係る非水溶性物質を含む水の処理方法の一具体例について、非水溶性物質を含む水が随伴水である場合を例に挙げて説明する。先ず、本発明の非水溶性物質を含む水の処理方法を好適に実施可能な処理プロセスについて、図１を参照しながら説明する。この図１に示す処理プロセスは、井戸元から送られてくる油分を含む随伴水を原水として一旦受け入れる原水タンク１と、該油分を含む随伴水を処理して油分を実質的に含まない水を透過水として取り出す多孔質体（以下、多孔質膜という）２と、原水タンク１の底部から排出された原水を多孔質体２に循環供給する供給ポンプ３と、透過水を受け入れる透過水タンク４と、これらの機器をつなぐ配管系５とから主に構成される。
【００１５】
井戸元から取り出される随伴水には、通常、原油や随伴ガスが含まれるため、これらを分離するため、原水タンク１の上流側には、図示しない３相分離装置や、ＡＰＩ（Ａｍｅｒｉｃａｎ  Ｐｅｔｒｏｌｅｕｍ  Ｉｎｓｔｉｔｕｔｅ）オイルセパレータなどが一般に設けられている。したがって、原水として原水タンク１に送られる随伴水には、これら上流側の装置で分離されないエマルジョンオイル（乳化オイル）や、運転条件の変動等により処理しきれなかった一部のフリーオイルが含まれている。通常はこの原水としての随伴水には油分がノルマルヘキサン抽出物質濃度基準で１〜５０００ｍｇ／Ｌ程度含まれている。
【００１６】
多孔質膜２は、無機酸化物で形成されているのが好ましく、アルミナ、シリカ、チタニア、ジルコニアなどのセラミックで形成されているのがより好ましい。これは、後述するように、多孔質膜の表面の修飾イオンをより強固に固定化するために焼成する事も考えられ、この場合は無機酸化物が適しているからである。また、セラミックの多孔質膜は、有機膜に比べて一般に高い強度を有しているので、逆洗の際に高差圧に耐えることができるという利点も有している。なお、多孔質膜２の透過水側には圧縮空気を注入して膜の逆洗を行う逆洗機構（図示せず）が設けられているのが好ましい。
【００１７】
多孔質膜２の細孔の孔径は、非水溶性物質を含む水の性状やその処理条件等に応じて適切な孔径を選択するのが好ましく、これにより後述する親水性のコーティング膜と細孔との協働により非水溶性物質が多孔質膜２の細孔を透過するのを阻止しながら水だけを多孔質膜２の細孔を透過させることができ、よって非水溶性物質と水とを分離することが可能となる。
【００１８】
多孔質膜２は均質に形成されていなくてもよく、また、複数の材質で構成してもよい。例えば、透過方向（すなわち、膜の表面に略垂直な方向）に関して上流側の孔径を下流側に比べて小さく緻密にしてもよい。これにより、この上流側の部分にふるい分けの役割を担わせ、下流側は機械的強度の高い支持層としての役割を担わせることができる。
【００１９】
多孔質膜２は、１つのモジュールが例えば外径３０〜１８０ｍｍ、長さ１００〜１５００ｍｍ程度の円柱形状を有しており、必要とする原水の処理量に応じて１若しくは複数本のモジュールを組み合わせて使用する。各多孔質膜モジュールは、その一端部から他端部に向けて内径０.５〜５ｍｍ程度の貫通孔が複数本設けられている。原水としての非水溶性物質を含む水は、上記多孔質膜モジュールの一端部に導入されてこれら貫通孔内を所定の線速度で一方向に流れ、その間に非水溶性物質を含む水から非水溶性物質を含まない水の分離が行われる。この分離によって非水溶性物質の濃度が濃くなった濃縮液（保持液とも称する）は、各多孔質膜モジュールの他端部から排出され、戻りの配管系５を経て原水タンク１に戻される。
【００２０】
前述したように、所定の線速度で貫通孔内に原水を循環流で流すことにより、貫通孔の内壁面上に堆積しようとする油分を原水で押し流すことができ、多孔質膜２の細孔が油分で閉塞したり多孔質膜２の表面（貫通孔の内壁面）に油膜が形成したりしにくくすることができる。
【００２１】
次に、多孔質膜２の製造方法について説明する。多孔質膜２の製造に際して、まず上記した複数の貫通孔を備えた円柱形状を有し、且つ各貫通孔の内壁の表面に官能基が存在している多孔質材料を用意する。例えば、市販のセラミック製多孔質材料（日本ガイシ株式会社製、型番：ＣＨＭＥ２Ｋ−０１）を用いれば、表面に官能基として水酸基が存在する多孔質材料が得られる。一般に官能基はｐＨの影響を受けて電位が変化することが知られている。例えばアルミナの場合は、図２のゼータ電位のグラフに示されるように、水溶液のｐＨが等電点より低いと正電荷を帯び、一方、水溶液のｐＨが等電点より高いと負電荷を帯びる。
【００２２】
したがって、多孔質材料の表面が帯電している電荷と逆の電荷を有するイオンを含む水溶液を前記表面に接触させることにより、当該表面にイオンを静電的に固定して修飾することができる。さらに、これらのイオンの表面には水分子が配向するため、多孔質材料の表面に水膜を形成することができると考えられる。例えば、図１の処理プロセスにおいて、原水タンク１に原水を受け入れる前にＮａ２ＳＯ４水溶液（ｐＨ６.５程度）を受け入れ、この水溶液を供給ポンプ３を用いて多孔質膜２に循環供給させてアルミナ製の多孔質材料を処理することにより、アルミナの水酸基とＳＯ４２−イオンがイオン交換し、更にイオン交換したアルミナの表面に水分子が水素結合する。これにより、アルミナの表面に親水性のコーティング膜を形成することができると考えられる。
【００２３】
イオン交換可能なイオンは、陰イオンの場合は、ハロゲンイオン、ＳＯ４２−、ＰＯ４３−、ＮＯ３−、ＣＨ３ＣＯＯ−、及び[Ｃ６Ｈ５Ｏ７]３−からなる群より選ばれた１種以上の陰イオンからなることが好ましい。一方、陽イオンの場合は、アルカリ金属イオン、アルカリ土類金属イオン、及びＭｇ２＋からなる群より選ばれた１種以上の陽イオンからなることが好ましい。アルミナの表面に陽イオンを修飾させる場合は、陽イオンを含む水溶液のｐＨを約９.５よりも高くしてアルミナからなる多孔質材料を処理すればよく、これによりアルミナの表面に存在する水酸基のプロトンと陽イオンをイオン交換させることができる。この場合は、陰イオンを修飾させた場合と異なり、イオン交換した陽イオンに水分子の酸素側が引き寄せられた形態で親水性のコーティング膜が形成される。
【００２４】
なお、陰イオンが吸着することにより、図２に示す等電点が酸性側に移行するため、随伴水のｐＨ領域で膜が負電荷を帯びる。このため、負電荷を帯びた油粒子の膜面への堆積が低減される。また、マグネシウムイオンなどの大きな水和径の陽イオンが吸着された場合は小さな水和径の塩素イオンなどが電気二重層を形成し、同様に負電荷を帯びた油粒子の堆積を妨げると考えられる。
【００２５】
また、多孔質材料の材質が異なれば等電点も異なる。例えばチタニアの場合はアルミナよりも等電点が酸性側にあるので、チタニアからなる多孔質材料の表面にｐＨが中性程度のイオンを含む水溶液を接触させた場合は、多孔質材料の表面が負電荷を帯びており、陽イオンが多孔質材料の表面に修飾することになる。
【００２６】
上記したように、多孔質材料の表面にイオンを修飾して親水性のコーティング膜を形成した後は、原水を原水タンク１に受け入れ、原水タンク１の原水を供給ポンプ３を用いて多孔質膜２に循環供給して該原水を膜処理することができる。すなわち、本発明の非水溶性物質を含む水の処理方法は、官能基とイオン交換可能なイオンを含む水溶液を前記表面に接触させて前記表面に前記イオンを付着させる第１工程と、前記非水溶性物質を含む水を前記表面から前記多孔質材料に透過させて前記非水溶性物質を含む水から前記非水溶性物質を除去する第２工程とからなる。
【００２７】
上記した方法で形成された親水性のコーティング膜は油分をはじく性質があるため、多孔質膜の表面に油分が付着しにくくなる。すなわち、多孔質膜の表面がファウリングを起こしにくくなるので、小さなろ過差圧（膜差圧）で長期に亘って安定的にろ過することが可能となる。よって供給ポンプ３の動力を大幅に低減することが可能となる。更に、ファウリング現象がほとんど生じなくなるので、逆洗や薬液洗浄の頻度を少なくすることができ、よって極めて効率的な処理を実現することができる。
【００２８】
上記の第１工程の後、第２工程の前に、多孔質材料を３００〜５００℃の温度条件で１〜５時間焼成する工程を含んでもよい。これにより多孔質膜の表面の修飾イオンをより強固に固定化することが可能になる。
【００２９】
また、上記の第２工程の後、薬液により多孔質膜を洗浄する工程を含んでもよい。この薬液（洗浄剤）にはウルトラジル（ヘンケル・白水社製）を使用することができる。例えば、随伴水のろ過処理で透過能力が５０％に低下した多孔質材料（セラミック膜）をアルカリ系洗浄剤（ウルトラジル１１０）と界面活性剤（ウルトラジル０２）との混合液で循環洗浄し、さらに酸系洗浄剤（ウルトラジル７５）で循環洗浄することにより透過能力を９９％に回復させることができる。
【００３０】
あるいは、上記の第２工程の後、多孔質膜の表面にイオンを再度付着させる工程を含んでもよい。このイオンを再度付着させる工程は、上記した薬液洗浄工程の後に行ってもよい。長期間ろ過処理を行った場合や薬液で洗浄を行った場合は、多孔質膜の表面組成が変化することがあるので、多孔質膜の表面にイオンを再度付着させることにより、多孔質膜の膜差圧を初期の小さな膜差圧まで戻して再び長期に亘って安定的に油分を含む水をろ過処理することが可能となる。
【００３１】
以上、本発明の非水溶性物質を含む水の処理方法の一具体例及び非水溶性物質を含む水の処理に使用する多孔質体の製造方法の一具体例について、非水溶性物質を含む水として随伴水を例に挙げて説明したが、本発明はかかる一具体例に限定されるものではなく、本発明の主旨から逸脱しない範囲の種々の態様で実施することができる。
【００３２】
例えば、本発明の処理方法が対象とする非水溶性物質を含む水は、随伴水以外に、オイルタンカーや海洋リグの事故で漏出したオイルを含む海水や、石油精製プラントなどの各種プラントから排出される油分を含んだ排水などにも好適に適用することができる。また、多孔質材料は無機酸化物に限定されるものではなく、セルロース、ポリビニルアルコールなどの有機材料でもよい。
【実施例】
【００３３】
［比較例］
先ず比較例として、アルミナを主成分とする外径３ｃｍ×長さ１０ｃｍのセラミック製多孔質膜モジュール（日本ガイシ株式会社製、孔径０.１μｍ）を図１に示すようなクロスフロータイプのろ過試験装置にセットし、下記表１に示す性状の油田随伴水を線速度３ｍ／秒（クロスフローの線速度）、ろ過流束４ｍ３／ｍ２／ｄａｙの条件で１８０分間処理した。ろ過時間の経過に伴う水温補正膜差圧（水温が２５℃であるときの膜差圧）を図３に、ろ過水の性状を下記表２に示す。
【００３４】
【表１】
2014121676.tif 000003
【００３５】
【表２】
2014121676.tif 000004
【００３６】
［実施例１］
比較例で使用したものと同様のセラミック製多孔質膜モジュールを、先ず図４に示すようなデッドエンドタイプのろ過試験装置にセットし、１６.７ｗｔ％のＮａ２ＳＯ４水溶液を６Ｌ／ｈｒの流量で約２時間に亘って流し続けた。その後、セラミック膜をデッドエンドタイプのろ過試験装置から図１に示すようなクロスフロータイプのろ過試験装置に付け替えた。以降は比較例と同様にして油田随伴水の処理を行った。ろ過時間の経過に伴う水温補正膜差圧を上記比較例の結果と共に図５に示す。また、透過水の性状を下記表３に示す。
【００３７】
【表３】
2014121676.tif 000005
【００３８】
上記表３及び図５の結果から、原水を通水する前に多孔質膜の官能基とイオン交換可能なイオンを含む水溶液で多孔質膜を処理することにより、膜差圧の上昇を顕著に抑え得ることが分かる。
【００３９】
［実施例２］
１６.７ｗｔ％のＮａ２ＳＯ４水溶液に代えて２６.１ｗｔ％のＭｇＣｌ２水溶液を使用した以外は実施例１と同様にして油田随伴水の処理試験を行った。ろ過時間の経過に伴う水温補正膜差圧を上記比較例の結果と共に図６に示す。また、透過水の性状を下記表４に示す。
【００４０】
【表４】
2014121676.tif 000006
【００４１】
上記表４及び図６の結果から、原水を通水する前に多孔質膜の官能基とイオン交換可能なイオンを含む水溶液で多孔質膜を処理することにより、膜差圧の上昇を顕著に抑え得ることが分かる。
【符号の説明】
【００４２】
１      原水タンク
２      多孔質膜
３      供給ポンプ
４      透過水タンク
５      配管系
【図１】
2014121676.tif 000007
【図２】
2014121676.tif 000008
【図３】
2014121676.tif 000009
【図４】
2014121676.tif 000010
【図５】
2014121676.tif 000011
【図６】
2014121676.tif 000012